(57)【要約】【課題】  締付形の接地端子にすることで、接地リードの取り付け作業性を向上させる。【解決手段】  互いの接触面（第１の接触面２０２と第２の接触面３０２）を接触させて締結具（ボルトネジ４０１）で締結される取付座２０１と押え座３０１との間に接地リード５０１を圧接支持する。押え座３０１に溝３０４を形成して接地リード５０１を収納した状態で取付座２０１との間で接地リード５０１を圧接状態とするため、溝３０４の幅を接地リード５０１の直径よりも大きくする必要が生じ、作業時、接地リード５０１が脱落し易くなるため、溝３０４に滑り止め加工を施して作業時に接地リード５０１が脱落しにくくする。【選択図】    図１
2006252776.tif 000002
【特許請求の範囲】
【請求項１】
接地リード（５０１）の支持面（２０４）の両側に設けられた一対の第１の接触面（２０２）と、前記支持面（２０４）の両側に形成された一対のネジ孔（２０３）と、を有する取付座（２０１）と、
前記第１の接触面（２０２）に面接触する一対の第２の接触面（３０２）と、前記ネジ孔（２０３）に位置合わせされた一対の挿通孔（３０３）と、前記支持面（２０４）に対面する位置に形成されて前記第１の接触面（２０２）と前記第２の接触面（３０２）とが面接触した状態で前記支持面（２０４）との間で前記接地リード（５０１）を圧接支持する滑り止め加工が施された溝（３０４）と、を備える押え座（３０１）と、
前記挿通孔（３０３）を挿通して前記ネジ孔（２０３）に螺合することで前記取付座（２０１）と前記押え座（３０１）とを締結する一対の締結具（４０１）と、
を備えた、ことを特徴とする接地リードの取付構造。
【請求項２】
前記溝（３０４）の幅は、前記接地リード（５０１）の直径よりも広い、ことを特徴とする請求項１の接地リードの取付構造。
【請求項３】
前記取付座（２０１）は、前記支持面（２０４）上に配置されて前記接地リード（５０１）の引掛けを許容する突起（２０５）を有する、ことを特徴とする請求項１又は２の接地リードの取付構造。
【請求項４】
前記溝（３０４）は、その端部に拡開部（３０５）を有する、ことを特徴とする請求項１、２又は３の接地リードの取付構造。
【請求項５】
大きさが異なる二つの前記溝（３０４）が十字形状に形成されている、ことを特徴とする請求項１、２、３又は４の接地リードの取付構造。
【発明の詳細な説明】
【技術分野】
【０００１】
本発明は、各種用途に用いられる接地リードを所定の機器類に取り付ける接地リードの取付構造に関するものである。
【背景技術】
【０００２】
電力受配電設備や鉄塔などでは、接地リードを取り付けるための接地リードの取付構造が必要とされる。例えば、特許文献１の特開２００３−２５７２９０の「スイッチギヤ」には、電力受配電設備で利用されるスイッチギヤでの接地について述べられている。
また、特許文献２の特開平１１−２５０９４６号の「変圧器の中性線接続用スリーブ」には、変圧器の中性線と低圧引上線と接地線（接地リード）とを接続するために用いるスリーブについて記述されている。特許文献２にも記載されているように、接地リードの取付構造としては、圧入による手法が従来から一般的に用いられている。
【０００３】
図１２は従来の接地リード取付構造を示す正面図である。図１３は従来の接地リード取付構造を示す側面図である。
これらの従来例は、変圧器に対する接地リードの取付構造を示している。変圧器タンク１に固定された取付座２に端子座３がボルト４によって締結されている。端子座３は圧接端子５を備え、この圧接端子５に接地リード６が圧入されている。圧接端子５に対する接地リード６の圧入は、コンプレッサによって駆動される圧縮機によりなされる。
【特許文献１】特開２００３−２５７２９０
【特許文献２】特開平１１−２５０９４６号
【発明の開示】
【発明が解決しようとする課題】
【０００４】
前述したように、接地リードを圧接端子に圧入するには、圧縮機が必要となる。圧縮機はコンプレッサで駆動されるような大掛かりな工具であり、作業性が悪い。このため、従来にあっては、接地リードの取り付けは極めて煩雑な作業になりやすいとう問題を有していた。
【０００５】
本発明は、かかる問題点を解決するために創案されたものである。すなわち、本発明の目的は、締付形の接地端子にすることで、接地リードの取り付け作業性を向上させることができる接地リードの取付構造を提供することにある。
【課題を解決するための手段】
【０００６】
本発明によれば、接地リード（５０１）の支持面（２０４）の両側に設けられた一対の第１の接触面（２０２）と、前記支持面（２０４）の両側に形成された一対のネジ孔（２０３）と、を有する取付座（２０１）と、前記第１の接触面（２０２）に面接触する一対の第２の接触面（３０２）と、前記ネジ孔（２０３）に位置合わせされた一対の挿通孔（３０３）と、前記支持面（２０４）に対面する位置に形成されて前記第１の接触面（２０２）と前記第２の接触面（３０２）とが面接触した状態で前記支持面（２０４）との間で前記接地リード（５０１）を圧接支持する滑り止め加工が施された溝（３０４）と、を備える押え座（３０１）と、前記挿通孔（３０３）を挿通して前記ネジ孔（２０３）に螺合することで前記取付座（２０１）と前記押え座（３０１）とを締結する一対の締結具（４０１）と、を備えた、ことを特徴とする接地リードの取付構造が提供される。
【０００７】
前記接地リードの取付構造において、前記溝（３０４）の幅は、前記接地リード（５０１）の直径よりも広いものにする。
【０００８】
前記接地リードの取付構造において、前記取付座（２０１）は、前記支持面（２０４）上に配置されて前記接地リード（５０１）の引掛けを許容する突起（２０５）を有するものにする。
【０００９】
前記接地リードの取付構造において、前記溝（３０４）は、その端部に拡開部（３０５）を有するものにする。
【００１０】
前記の接地リードの取付構造において、大きさが異なる二つの前記溝（３０４）が十字形状に形成されている。
【発明の効果】
【００１１】
本発明では、取付座（２０１）の支持面（２０４）に接地リード（５０１）を位置付けた状態で押え座（３０１）を合わせ、取付座（２０１）と押え座（３０１）とを締結具（４０１）で締結するだけで、接地リード（５０１）を容易に取り付けることができ、この際、接地リード（５０１）を収める溝（３０４）に施した滑り止め加工によって接地リード（５０１）の滑り落ちを防止することができ、従って、接地リード（５０１）の取り付け作業性を向上させることができる。
【発明を実施するための最良の形態】
【００１２】
本発明の接地リードの取付構造は、互いの接触面を接触させてボルト、ネジのような締結具で締結される取付座と押え座との間に接地リードを圧接支持する構造である。
【実施例１】
【００１３】
以下、本発明の好ましい実施の形態を図面を参照して説明する。
これらの実施例は、変圧器に対する接地リードの取付構造の適用例である。
図１は実施例１の接地リードの取付構造の分解斜視図である。図２は図１とは別の方向から見た実施例１の接地リードの取付構造の分解斜視図である。図３は実施例１の接地リードの取付構造に接地リードが取り付けられた状態を示す側面図である。
図１及び図２に示すように、変圧器タンク１０１（図３参照）に固定されている取付座２０１が設けられ、この取付座２０１には押え座３０１が締結具としてのボルトネジ４０１によって締結され、それらの取付座２０１と押え座３０１との間に接地リード５０１が圧接支持されている。
【００１４】
取付座２０１と押え座３０１とには、互いに接触する接触面が設けられている。取付座２０１に設けられた接触面は第１の接触面２０２であり、押え座３０１に設けられた接触面は第２の接触面３０２である。第１の接触面２０２と第２の接触面３０２との間の接触面積は、予め規定された面積が確保されていなければならない。
【００１５】
取付座２０１と押え座３０１とのボルトネジ４０１による締結のために、取付座２０１には四隅に四個のネジ孔２０３が形成され、押え座３０１にはネジ孔２０３に位置合わせされて四個の挿通孔３０３が形成されている。従って、ボルトネジ４０１も四個用意される。四個のボルトネジ４０１は、それぞれ、挿通孔３０３を挿通してネジ孔２０３に螺合することで、取付座２０１と押え座３０１とを締結する（図３参照）。
【００１６】
図４は押え座の正面図である。図５は溝の幅と接地リードの直径との寸法関係を示す平面図である。図６は実施例１の接地リードの取付構造に接地リードが取り付けられた状態を示す正面図である。
取付座２０１では、その中央が接地リード５０１の支持面２０４となっている（図１参照）。押え座３０１には、接地リード５０１を収める溝３０４が形成されている（図４参照）。図４に模式的に示すように、溝３０４の内部は滑り止め加工が施されている。滑り止め加工は、例えばローレット加工による。図５及び図６に示すように、溝３０４の幅は、接地リード５０１の直径よりも広く形成されている。
【００１７】
取付座２０１と押え座３０１とを締結するボルトネジ４０１の締結パターンについて説明する。図６に示すように、ボルトネジ４０１は接地リード５０１を挟んだ両側に２個ずつ設けられている。従って、取付座２０１と押え座３０１とは、接地リード５０１を挟んだ一対のボルトネジ４０１によって締結され、一対のボルトネジ４０１はそれぞれ２個ずつ設けられていることになる。前述したように、取付座２０１と押え座３０１との締結に際しては、第１の接触面２０２と第２の接触面３０２との間の接触面積が重要になることから、これらの第１の接触面２０２と第２の接触面３０２とが確実に接合していることが肝要である。そこで、ボルトネジ４０１としては、接地リード５０１を挟んで一対設けられている必要がある。本実施例では、接地リード５０１を挟んだ一対のボルトネジ４０１がそれぞれ２個ずつ設けられているが、この個数については、２個である必要はなく、適宜最適な数が決定される。
【００１８】
図７は実施例１の接地リードの取付構造に接地リードが取り付けられた状態を示す平面図である。
接地リード５０１は、押え座３０１の溝３０４に納められた状態で取付座２０１の支持面２０４との間で圧接支持されている。このような構造上、溝３０４の深さは、接地リード５０１の直径よりも浅くなければならない。このため、押え座３０１の溝３０４と取付座２０１の支持面２０４との間に圧接支持される接地リード５０１は押し潰され、その分の逃げとして、溝３０４の幅方向に広がっている。
【００１９】
このような構成において、接地リード５０１を取り付けるには、取付座２０１の支持面２０４に接地リード５０１を位置させた状態で取付座２０１に押え座３０１を重ね合わせる。この際、押え座３０１の溝３０４に接地リード５０１が収められ、取付座２０１の第１の接触面２０２と押え座３０１の第２の接触面３０２とが位置合わせされるようにする。この状態で、四個のボルトネジ４０１をそれぞれ押え座３０１の挿通孔３０３に挿通して取付座２０１のネジ孔２０３に螺合させ、ボルトネジ４０１で取付座２０１と押え座３０１とを締結する。すると、第１の接触面２０２と第２の接触面３０２とが接合し、取付座２０１と押え座３０１との間の必要な接触面積が確保される。また、押え座３０１の溝３０４に接地リード５０１が収められ、接地リード５０１は支持面２０４と溝３０４との間で押し潰されて圧接支持される。
【００２０】
支持面２０４と溝３０４との間で圧接支持された接地リード５０１は、図７に示すように、溝３０４の底面と支持面２０４との間で押し潰されて横方向に広がる。図５及び図６に示すように、溝３０４は、その幅が接地リード５０１の直径よりも広く形成されているので、押し潰されて横方向に広がる接地リード５０１に対して逃げを提供する。その反面、そのような接地リード５０１の直径よりも幅が広い溝３０４は、取付座２０１の支持面２０４に接地リード５０１を位置させた状態で取付座２０１に押え座３０１を重ね合わせる作業に際して、接地リード５０１の脱落を招来させ易い。本実施例では、押え座３０１の溝３０４に滑り止め加工が施されているので、溝３０４に入った接地リード５０１が脱落しにくくなる。これにより、本実施例によれば、接地リード５０１の取り付け作業性を向上させることができる。
【実施例２】
【００２１】
図８は取付座に突起が設けられた実施例２の接地リードの取付構造の分解斜視図である。
実施例２の接地リードの取付構造は、図８に示すように、取付座２０１に突起２０５を設けておくことで、取付座２０１の支持面２０４に接地リード５０１を位置させる作業に際して、突起２０５に接地リード５０１を引っ掛けておくことができる。突起２０５がない構造では、片手で接地リード５０１を掴んだ状態で取付座２０１に押え座３０１を重ね合わせる作業が必要となる。これに対して、突起２０５に接地リード５０１を引っ掛けておけば、取付座２０１に押え座３０１を重ね合わせるに際して、片手で接地リード５０１を掴んでおく必要がなくなる。このため、接地リード５０１の取り付け作業性が益々向上する。
【００２２】
また、突起２０５を設けた場合、押え座３０１の溝３０４に形成された滑り止め加工は、突起２０５との組み合わせによる新たな技術的意義を生ずる。つまり、突起２０５を設けることで、取付座２０１に押え座３０１を重ね合わせる作業時に接地リード５０１から手を離すことができる反面、例えば接地リード５０１が溝３０４に入り込んだ状態で押え座３０１が位置ずれする等の現象が生ずると、接地リード５０１を突起２０５から脱落させる可能性がある。これに対して、溝３０４の滑り止め加工は、このような突起２０５からの接地リード５０１の脱落防止に役立つ。
【実施例３】
【００２３】
図９は実施例３の接地リードの取付構造の押え座の縦断側面図（ａ）と、接地リードの損傷保護構造を有する押え座の縦断側面図である（ｂ）。
実施例３の接地リードの取付構造における押え座３０１では、図９（ａ）に示すように、溝３０４が深さ一定で形成されている。これに対して、図９（ｂ）に示す押え座３０１では、溝３０４の入口付近に拡開部３０５が形成されている。拡開部３０５は、溝３０４の出口に向かうに従い拡がるような曲面形状を有する。つまり、アール形状である。このアール形状は、拡開部３０５の形状の一例であり、拡開部３０５としては、テーパ形状であっても良い。
【００２４】
拡開部３０５を設けたことで、溝３０４の端部は接地リード５０１に鈍角をなして接触することになる。これにより、溝３０４の端部による接地リード５０１の損傷が防止される。特に、溝３０４の端部と接地リード５０１との接触が直角をなしたり鋭角をなしたりすると、接地リード５０１を構成する一本一本のリード線が断線し、接地リード５０１を損傷させるばかりか、断線屑を生じさせる可能性がある。拡開部３０５は、このような事態を確実に防止し得る。
【実施例４】
【００２５】
図１０は実施例４の接地リードの取付構造の押え座の一例を示す斜視図である。図１１は図１０に示す実施例４の接地リードの取付構造の押え座をある方向から見た縦断側面図（ａ）と、この（ａ）と９０度異なる方向から見た押え座の縦断側面図である（ｂ）。
実施例４の接地リードの取付構造では、押え座３０１に大きさが異なる二つの溝３０４が十字形状に形成されている。二つの溝３０４は、深さと幅とが共に異なる。従って、太さが異なる二種類の接地リード５０１を、単一の押え座３０１によって圧接支持することが可能となる。
【００２６】
なお、図１０及び図１１では、大きさが異なる二つの溝３０４を押え座３０１に形成した例を示したが、実施に際しては、押え座３０１の異なる複数面に一本又は複数本の溝３０４を形成しても良い。例えば、図１０では押え座３０１の一面に大きさが異なる二つの溝３０４が十字形状に形成されているが、これらの溝３０４と更に大きさが異なる１本又は複数本の溝３０４を反対側の面に形成したり、押え座３０１を立方体形状にして各面（例えば六面）に１本又は複数本の溝３０４を形成したりしても良い。これにより、単一の押え座３０１によって太さが異なる複数種類の接地リード５０１に対応することができる。
【００２７】
なお、本発明は、取付座２０１の支持面２０４に接地リード５０１を位置付けた状態で押え座３０１を合わせ、取付座２０１と押え座３０１とを締結具４０１で締結することで、接地リード５０１を容易に取り付けることができる構造であれば、上述した発明の実施の形態に限定されず、本発明の要旨を逸脱しない範囲で種々変更できることは勿論である。
【産業上の利用可能性】
【００２８】
本発明の接地リードの取付構造は、変圧器、避雷器又はダクト、スイッチギや鉄塔等の接地構造などに利用することができる。
【図面の簡単な説明】
【００２９】
【図１】実施例１の接地リードの取付構造の分解斜視図である。
【図２】図１とは別の方向から見た実施例１の接地リードの取付構造の分解斜視図である。
【図３】実施例１の接地リードの取付構造に接地リードが取り付けられた状態を示す側面図である。
【図４】押え座の正面図である。
【図５】溝の幅と接地リードの直径との寸法関係を示す平面図である。
【図６】実施例１の接地リードの取付構造に接地リードが取り付けられた状態を示す正面図である。
【図７】実施例１の接地リードの取付構造に接地リードが取り付けられた状態を示す平面図である。
【図８】取付座に突起が設けられた実施例２の接地リードの取付構造の分解斜視図である。
【図９】実施例３の接地リードの取付構造の押え座の縦断側面図（ａ）と、接地リードの損傷保護構造を有する押え座の縦断側面図である（ｂ）。
【図１０】実施例４の接地リードの取付構造の押え座の一例を示す斜視図である。
【図１１】図１０に示す実施例４の接地リードの取付構造の押え座をある方向から見た縦断側面図（ａ）と、この（ａ）と９０度異なる方向から見た押え座の縦断側面図である（ｂ）。
【図１２】従来の接地リード取付構造を示す正面図である。
【図１３】従来の接地リード取付構造を示す側面図である。
【符号の説明】
【００３０】
１０１  変圧器タンク
２０１  取付座
２０２  第１の接触面
２０３  ネジ孔
２０４  支持面
２０５  突起
３０１  押え座
３０２  第２の接触面
３０３  挿通孔
３０４  溝
３０５  拡開部
４０１  締結具（ボルトネジ）
５０１  接地リード
【図１】
2006252776.tif 000003
【図２】
2006252776.tif 000004
【図３】
2006252776.tif 000005
【図４】
2006252776.tif 000006
【図５】
2006252776.tif 000007
【図６】
2006252776.tif 000008
【図７】
2006252776.tif 000009
【図８】
2006252776.tif 000010
【図９】
2006252776.tif 000011
【図１０】
2006252776.tif 000012
【図１１】
2006252776.tif 000013
【図１２】
2006252776.tif 000014
【図１３】
2006252776.tif 000015